(57)【要約】      （修正有）【課題】アーチ形状を呈する照明板を確実且つ容易に着脱することができるエレベータのかご用天井照明装置を得る。【解決手段】透光性を有するアーチ状照明板と、このアーチ状照明板の直線状縁部に設けられた取付手段９，１１と、アーチ状照明板が載置される案内面を有する照明枠５と、案内面に載置されたアーチ状照明板の取付手段に掛止されてアーチ状照明板の直線状縁部を外側に付勢するとともに、アーチ状照明板の上方への移動を制限する照明板固定装置１０と、この照明板固定装置を照明枠に固定する固定手段とを備える。【選択図】図２
2006298637.tif 000002
【特許請求の範囲】
【請求項１】
透光性を有するアーチ状照明板と、このアーチ状照明板の直線状縁部に設けられた取付手段と、前記アーチ状照明板が載置される案内面を有する照明枠と、前記案内面に載置された前記アーチ状照明板の前記取付手段に掛止されて前記アーチ状照明板の直線状縁部を外側に付勢するとともに、前記アーチ状照明板の上方への移動を制限する照明板固定装置と、この照明板固定装置を前記照明枠に固定する固定手段とを備えたことを特徴とするエレベータのかご用天井照明装置。
【請求項２】
取付手段は、アーチ状照明板の上面から突出するように前記アーチ状照明板の直線状縁部に沿って設けられた補強材からなり、照明板固定装置は、前記補強材の上方から設けられ、その一端部が下方に向かって曲成されて前記補強材に掛止されたことを特徴とする請求項１に記載のエレベータのかご用天井照明装置。
【請求項３】
取付手段は、アーチ状照明板の直線状縁部に沿って設けられた複数の取付孔からなり、照明板固定装置は、その一端部が鉤状を呈して前記取付孔に掛止されたことを特徴とする請求項１に記載のエレベータのかご用天井照明装置。
【請求項４】
照明板固定装置は、その他端部が下方に向かって曲成されて照明枠に掛止されたことを特徴とする請求項２又は請求項３に記載のエレベータのかご用天井照明装置。
【請求項５】
照明板固定装置は、その他端部が上方に向かって曲成されたことを特徴とする請求項２又は請求項３に記載のエレベータのかご用天井照明装置。
【請求項６】
照明板固定装置は、板バネにより構成されることを特徴とする請求項１から請求項５の何れかに記載のエレベータのかご用天井照明装置。
【発明の詳細な説明】
【技術分野】
【０００１】
この発明は、エレベータ昇降路内を昇降するかごのかご室内に設けられたかご用天井照明装置に関するものである。
【背景技術】
【０００２】
エレベータ昇降路内を昇降するかごのかご室内に設けられたかご用天井照明装置には、かご室内の意匠性向上のため、上方に凸状を呈するアーチ状の透光性照明板が備えられたものがある。かかるエレベータのかご用天井照明装置の従来技術として、照明枠の上面に三条の凸字状の溝を設け、照明枠の遮光板への固定は両側の溝で行い、照明板の照明枠への固定は中央の溝で行うようにしたものが提案されている（例えば、特許文献１参照）。
【０００３】
【特許文献１】特開平５−３３０７６８号公報
【発明の開示】
【発明が解決しようとする課題】
【０００４】
特許文献１記載のエレベータのかご用天井照明装置では、アーチ状に形成された照明板を照明枠に取り付ける際、照明板の周縁部を押え板により照明枠に押え付けるようにして固定している。このため、照明板がかご室内から上方に押し上げられた場合に、照明板が照明枠から簡単に外れてしまうことがあった。かかる事故は、例えば、長尺の荷物を持った乗客がかご室に乗降する際等に起こり得る。また、上記問題を解決するために照明板の固定箇所を増やすことも考えられるが、かかる場合には、照明板の着脱に時間を要して作業性が悪いという問題が生じていた。
【０００５】
この発明は、上述のような課題を解決するためになされたもので、その目的は、アーチ形状を呈する照明板を確実且つ容易に着脱することができるエレベータのかご用天井照明装置を提供することである。
【課題を解決するための手段】
【０００６】
この発明に係るエレベータのかご用天井照明装置は、透光性を有するアーチ状照明板と、このアーチ状照明板の直線状縁部に設けられた取付手段と、アーチ状照明板が載置される案内面を有する照明枠と、案内面に載置されたアーチ状照明板の取付手段に掛止されてアーチ状照明板の直線状縁部を外側に付勢するとともに、アーチ状照明板の上方への移動を制限する照明板固定装置と、この照明板固定装置を照明枠に固定する固定手段とを備えたものである。
【発明の効果】
【０００７】
この発明は、透光性を有するアーチ状照明板と、このアーチ状照明板の直線状縁部に設けられた取付手段と、アーチ状照明板が載置される案内面を有する照明枠と、案内面に載置されたアーチ状照明板の取付手段に掛止されてアーチ状照明板の直線状縁部を外側に付勢するとともに、アーチ状照明板の上方への移動を制限する照明板固定装置と、この照明板固定装置を照明枠に固定する固定手段とを備える構成としたことで、アーチ形状を呈する照明板を確実且つ容易に着脱することができる。
【発明を実施するための最良の形態】
【０００８】
この発明をより詳細に説明するため、添付の図面に従ってこれを説明する。なお、各図中、同一又は相当する部分には同一の符号を付しており、その重複説明は適宜に簡略化ないし省略する。
【０００９】
実施の形態１．
図１はこの発明の実施の形態１におけるエレベータのかご用天井照明装置の斜視図である。図１において、エレベータ昇降路内を昇降するかごのかご室１内に設けられたかご用天井照明装置には、かご室１の天井面に固定された蛍光灯等の照明体（図示せず）の周囲を覆うように天井部に設けられ、照明体からの光をかご室１内に導くために下方に開口する開口部が形成された枠体２と、この枠体２の開口部を塞ぐ透光性を有する照明板３と、この照明板３を枠体２に固定する照明枠４とが備えられている。なお、上記照明枠４は、枠体２に形成された開口部を所定の領域に区切るように配置されている。そして、照明板３は、照明枠４により区切られた上記領域の形状に合わせて形成され、その周縁部が照明枠４又は枠体２の開口部の周縁部に上方から重なり合うように配置されている。かかる構成を有することにより、枠体２の開口部が確実に閉塞され、かご室１内の乗客からかご用天井照明装置の内部構造が視認できないように構成されている。
【００１０】
ここで、上記照明枠４は、枠体２に形成された開口部の出入口側縁部から奥側縁部に跨って設けられた所定の間隔を有する２つの平行な第一照明枠５と、平行に配置された第一照明枠５間に跨って所定間隔毎に設けられた上方に凸状を呈するアーチ状の第二照明枠６とから構成されている。なお、枠体２開口部の一側縁部と一側の第一照明枠５との間の領域、並びに、枠体２開口部の他側縁部と他側の第一照明枠５との間の領域は、略長方形状を呈する照明板３或いは塗装等が施された透光性を有しない意匠板等により閉塞されている。
【００１１】
一方、第一照明枠５及び第二照明枠６により囲まれた枠体２開口部の中央に位置する領域は、略長方形状の照明板を湾曲させることにより形成された上方に凸状を呈するアーチ状照明板７により閉塞されている。ここで、図２は図１におけるＡ−Ａ断面図、図３はこの発明の実施の形態１におけるアーチ状照明板７の要部斜視図を示したものである。図２及び図３において、アーチ状照明板７は、上記の通り略長方形状の照明板を湾曲させることにより形成されており、その周縁部は、それぞれ対向する位置に、アーチ状に湾曲した縁部（以下、「アーチ状縁部」という）と、このアーチ状縁部に直交する直線状の縁部（以下、「直線状縁部」という）とが形成されている。そして、アーチ状照明板７の凸状を呈する上面には、略四角柱状を呈する変形防止用の補強材８が、各直線状縁部に沿ってその全長に渡り接着固定され、補強材８がアーチ状照明板７の上面から所定距離上方に突出するように設けられている。なお、取付手段は、上記補強材８により構成される。
【００１２】
また、上記第一照明枠５には、アーチ状照明板７の直線状縁部を支持する支持部５ａがその幅方向に渡って斜設されている。この支持部５ａには、支持部５ａの上面に支持部５ａの幅方向に渡って形成された一側に傾斜する案内面５ｂと、この案内面５ｂから所定距離上方に突出するように案内面５ｂの幅方向に渡って設けられた略四角柱状を呈する固定部５ｃとが備えられている。なお、９はそのネジ部が固定部５ｃの上面から上方に突出するように固定部５ｃ内に埋め込まれたボルトであり、固定部５ｃの幅方向に渡って所定間隔毎に配置されている。
【００１３】
そして、上記アーチ状照明板７は、補強材８が固定部５ｃに並列して配置されるように、その直線状縁部が案内面５ｂ上に載置され、板バネ１０及び蝶ナット１１により支持部５ａに固定される。なお、図４は、この発明の実施の形態１における板バネ１０の斜視図を示したものである。図２及び図４において、板バネ１０は、断面が略Ｃ字状を呈するようにその両端部が同じ側に曲成され、中央部に貫通孔１０ａが形成されている。そして、この板バネ１０は、固定部５ｃから突出するボルト９が貫通孔１０ａに遊貫するように補強材８及び固定部５ｃの上方から設けられ、下方に向かって曲成された一端部が補強材８の反固定部５ｃ側側面に、また、同じく下方に向かって曲成された他端部が固定部５ｃの反補強材８側側面に掛止されるように配置される。そして、板バネ１０は、ボルト９に螺嵌された蝶ナット１１により、固定部５ｃに上方から強固に固定される。このように、板バネ１０が補強材８及び固定部５ｃを上方から掴むように設けられているため、アーチ状照明板７の直線状縁部に設けられた補強材８は、この板バネ１０の付勢力により外側、即ち、固定部５ｃ側に常時付勢されている。なお、実施の形態１においては、アーチ状照明板７の上方への移動を制限する照明板固定装置は板バネ１０により、板バネ１０を第一照明枠５の固定部５ｃに固定する固定手段はボルト９及び蝶ナット１１によりそれぞれ構成されている。
【００１４】
かかる構成を有することにより、アーチ状照明板７を第一照明枠５に確実に固定することが可能となる。即ち、アーチ状照明板７の直線状縁部に設けられた補強材８が、板バネ１０の一端部によって上方から掛止されるように固定されているため、アーチ状照明板７がかご室１内から上方に押し上げられるように付勢された場合でも、アーチ状照明板７の上方への移動を制限して、アーチ状照明板７が第一照明枠５から外れるような事故を防止することができる。また、アーチ状照明板７は、直線状縁部に沿って設けられた補強材８により強度が高められているとともに、補強材８が板バネ１０によって常時固定部５ｃ側に付勢されることによりアーチ状を呈する第二照明枠６との間に隙間が発生しないように構成されているため、アーチ状縁部を固定する必要はなく、その着脱が容易で作業性に優れる。
【００１５】
なお、この発明の実施の形態１においては、１つの固定手段によって１つの板バネ１０が固定されているが、図５に示すように複数の貫通孔１０ａが形成された長尺の板バネ１０ｂを使用することにより、複数の固定手段によって１つの板バネ１０ｂを固定したり、アーチ状照明板７の補強材８と略同長さの板バネ１０ｂを使用して、アーチ状照明板７の一方の直線状縁部を１つの板バネ１０ｂで固定したりしても良い。かかる構成を有することにより、アーチ状照明板７の着脱時の作業性向上を図ることが可能となる。
【００１６】
実施の形態２．
図６はこの発明の実施の形態２における図２相当図であり、図１におけるＡ−Ａ断面を示したものである。図６において、板バネ１２は、固定部５ｃから上方に突出するボルト９が貫通孔（図示せず）に遊貫するように補強材８及び固定部５ｃの上方から設けられ、下方に向かって曲成された一端部が補強材８の反固定部５ｃ側側面に掛止されるように配置されている。なお、その他端部は、上方に向かって曲成されている。その他の構成は、実施の形態１と同様である。
【００１７】
かかる構成を有するかご用天井照明装置では、アーチ状照明板７を取り付ける際、作業者は、板バネ１２の他端部をアーチ状照明板７の外側に引っ張りながら、蝶ナット１１を固定する。したがって、取付完了後、アーチ状照明板７の補強材８は、板バネ１２の付勢力によって常時固定部５ｃ側に付勢されるように構成され、実施の形態１と同様の効果を奏することが可能となる。また、補強材８と固定部５ｃとの距離に依存せずに取り付けることが可能であり、その距離の調整も容易となる。なお、板バネ１２に形成される貫通孔を、補強材８の長手方向に直交する方向に長手方向を有する長孔としても良い。
【００１８】
実施の形態３．
図７はこの発明の実施の形態３における図２相当図であり、図１におけるＡ−Ａ断面を示したものである。図７において、アーチ状照明板１３の直線状縁部には、所定間隔毎に取付孔１３ａが形成されている。また、第一照明枠５の支持部５ａには、案内面５ｂよりも一段低い位置に固定部５ｄが設けられ、この固定部５ｄの幅方向に渡って所定間隔毎にボルト９が設けられている。
【００１９】
そして、上記アーチ状照明板１３は、直線状縁部が案内面５ｂ上に載置され、板バネ１４及び蝶ナット１１により支持部５ａに固定される。ここで、板バネ１４は、固定部５ｄから突出するボルト９が貫通孔（図示せず）に遊貫するように設けられ、上方に向かって曲成された鉤状を呈する一端部がアーチ状照明板１３の取付孔１３ａに掛止されるように配置されている。また、その他端部は、下方に向かって曲成されて、固定部５ｄに形成された反アーチ状照明板１３側側面に掛止されるように配置されている。なお、アーチ状照明板１３の取付孔１３ａに掛止された板バネ１４の一端部は、その先端部が、アーチ状照明板１３の上面に係合するように配置され、アーチ状照明板１３の上方への移動を制限している。なお、その他は実施の形態１と同様の構成を有する。
【００２０】
かかる構成を有することにより、アーチ状照明板１３を第一照明枠５に確実に固定することが可能となる。また、実施の形態１及び２における補強材８が不要であるため、アーチ状照明板１３の曲率半径が大きい場合や、アーチ状照明板１３の幅が小さい場合等のようにアーチ状照明板１３の直線状縁部の補強が不要な場合には、構成を簡素化させることが可能となる。なお、その他は実施の形態１と同様の効果を有する。
【００２１】
また、板バネ１４の他端部を、実施の形態２のように上方に曲成させて、アーチ状照明板１３を取り付ける際に、板バネ１４の他端部をアーチ状照明板１３の外側に引っ張りながら蝶ナット１１を固定するようにしても良い。かかる構成を有することにより、実施の形態２と同様の効果を奏することも可能である。
【図面の簡単な説明】
【００２２】
【図１】この発明の実施の形態１におけるエレベータのかご用天井照明装置の斜視図である。
【図２】図１におけるＡ−Ａ断面図である。
【図３】この発明の実施の形態１におけるアーチ状照明板の要部斜視図である。
【図４】この発明の実施の形態１における板バネの斜視図である。
【図５】この発明の実施の形態１における板バネの斜視図である。
【図６】この発明の実施の形態２における図２相当図である。
【図７】この発明の実施の形態３における図２相当図である。
【符号の説明】
【００２３】
１  かご室
２  枠体
３  照明板
４  照明枠
５  第一照明枠
５ａ  支持部
５ｂ  案内面
５ｃ、５ｄ  固定部
６  第二照明枠
７、１３  アーチ状照明板
８  補強材
９  ボルト
１０、１０ｂ、１２、１４  板バネ
１０ａ  貫通孔
１１  蝶ナット
１３ａ  取付孔
【図１】
2006298637.tif 000003
【図２】
2006298637.tif 000004
【図３】
2006298637.tif 000005
【図４】
2006298637.tif 000006
【図５】
2006298637.tif 000007
【図６】
2006298637.tif 000008
【図７】
2006298637.tif 000009